(57)【要約】 【課題】所定機能に関連するデバイスへの操作で当該機能を制御できるようにする。 【解決手段】ＣＰＵ１は、電源オン操作時に本体表面から露出している各種デバイスのうち所定機能（例えば、通話機能、カメラ機能、録音機能、音楽再生機能、テレビ放送受信機能など）に関連するデバイス（例えば、受話スピーカ７、撮影レンズ１５、フラッシュ発光部１６、イヤホンジャック１８、録音マイク２０、ＴＶアンテナ１２など）への操作有無を判別し、当該デバイスへの操作が有れば、その所定機能を制御する。 【選択図】  図１
2008271062.tif 000002
【特許請求の範囲】
【請求項１】
本体表面から露出している各種デバイスのうち所定機能に関連するデバイスへの操作有無を判別する第１の判別手段と、
所定操作の有無を判別する第２の判別手段と、
前記第１及び第２の判別手段によって操作有りがそれぞれ判別された際に、前記所定機能を制御する機能制御手段と、
を具備したことを特徴とする携帯端末装置。
【請求項２】
前記第２の判別手段は、電源オン／オフ操作、装置本体のスタイル変更操作のうち、少なくともそのいずれかの操作有無を検出する、
ようにしたことを特徴とする請求項１記載の携帯端末装置。
【請求項３】
本体表面から露出している各種デバイスのうち所定機能に関連するデバイスへの操作有無を判別する第１の判別手段と、
所定状態にあるか否かを判別する第２の判別手段と、
前記第１の判別手段によって操作有りと判別され、かつ、前記第２の判別手段によって所定状態にあると判別された際に、前記所定機能を制御する機能制御手段と、
を具備したことを特徴とする携帯端末装置。
【請求項４】
前記第２の判別手段は、表示画面の状態を所定状態として判別する、
ようにしたことを特徴とする請求項３記載の携帯端末装置。
【請求項５】
前記所定機能が通話機能で、それに関連するデバイスがスピーカあるいはマイクの場合に、前記デバイスへの操作は、このスピーカあるいはマイクにタッチする接触操作、このスピーカあるいはマイクに近づける接近操作のうちそのいずれかの操作である、
ことを特徴とする請求項１あるいは請求項３記載の携帯端末装置。
【請求項６】
前記所定機能が音響入出力機能で、それに関連するデバイスが音声入出力デバイスの場合に、前記デバイスへの操作は、このデバイスにタッチする接触操作、このデバイスに近づける接近操作、このデバイスに外部機器を接続する接続操作のうちそのいずれかの操作である、
ことを特徴とする請求項１あるいは請求項３記載の携帯端末装置。
【請求項７】
前記所定機能が放送受信機能で、それに関連するデバイスがアンテナの場合に、前記デバイスへの操作は、このアンテナの引き出し操作あるいは引き入れ操作である、
ことを特徴とする請求項１あるいは請求項３記載の携帯端末装置。
【請求項８】
前記所定機能がカメラ機能で、それに関連するデバイスが撮影レンズ、フラッシュ発光部、マイクのうち少なくともそのいずれかの場合に、前記デバイスへの操作は、このデバイスにタッチする接触操作、このデバイスに近づける接近操作、このデバイスに外部機器を接続する接続操作、デバイス自体を可動させる可動操作のうち、そのいずれかの操作である、
ことを特徴とする請求項１あるいは請求項３記載の携帯端末装置。
【請求項９】
前記機能制御手段は、前記所定機能の起動、終了、一時停止、再開、モード設定のうちそのいずれかの制御を行う、
ようにしたことを特徴とする請求項１あるいは請求項３記載の携帯端末装置。
【請求項１０】
予め制御対象として設定されている所定機能毎に、それに関連するデバイスを記憶するデバイス記憶手段を更に設け、
前記第１の判別手段は、前記デバイス記憶手段を参照することによって前記制御対象機能に関連するデバイスに対する操作有無を判別する、
ようにしたことを特徴とする請求項１あるいは請求項３記載の携帯端末装置。
【請求項１１】
コンピュータに対して、
本体表面から露出している各種デバイスのうち所定機能に関連するデバイスへの操作有無を判別するステップと、
所定操作の有無を判別するステップと、
前記判別の結果、操作有りがそれぞれ判別された際に、前記所定機能を制御するステップと、
を実現させるためのプログラム。
【請求項１２】
コンピュータに対して、
本体表面から露出している各種デバイスのうち所定機能に関連するデバイスへの操作有無を判別するステップと、
所定状態にあるか否かを判別するステップと、
前記判別の結果、操作有りと判別され、かつ、前記所定状態にあると判別された際に、前記所定機能を制御するステップと、
を実現させるためのプログラム。
【発明の詳細な説明】
【技術分野】
【０００１】
この発明は、携帯電話装置などの携帯端末装置及びプログラムに関する。
【背景技術】
【０００２】
近年、携帯電話装置は、その多機能化及び高級化などに伴って益々、操作の煩雑化を招いている。そこで、従来では操作の簡素化を図るために、例えば、２つの筐体をスライド可能に取り付けた携帯電話装置において、特定キーを押下しながら２つの筐体をスライドさせた際に、カメラ機能あるいは電子メール機能などの所定機能を起動するようにした技術が知られている（特許文献１参照）。
【特許文献１】特開２００５−１３６７７８号公報
【発明の開示】
【発明が解決しようとする課題】
【０００３】
上述した先行技術は、特定キーを押下しながら２つの筐体をスライドさせるだけで所定機能を起動させることができるため、操作数を減らし、操作の簡素化が可能となるが、特定キーの押下を前提としているため、ユーザはどのキーを操作しなければならないかを覚えておく必要があった。また、日頃から良く使用する機能であれば、どのキーをどのような手順で操作すればよいかを覚えているために特に問題はないとしても、日頃、使用することが少ない機能にあっては、その操作を忘れてしまこともあり、操作に不慣れな子供、お年寄りなどにあっては、大きな負担となっていた。
【０００４】
この発明の課題は、所定機能に関連するデバイスに対して操作を行うことで当該機能を制御できるようにすることである。
【課題を解決するための手段】
【０００５】
請求項１記載の発明（第１の発明）は、本体表面から露出している各種デバイスのうち所定機能に関連するデバイスへの操作有無を判別する第１の判別手段と、所定操作の有無を判別する第２の判別手段と、前記第１及び第２の判別手段によって操作有りがそれぞれ判別された際に、前記所定機能を制御する機能制御手段とを具備したことを特徴とする。
更に、コンピュータに対して、上述した請求項１記載の発明に示した主要機能を実現させるためのプログラムを提供する（請求項１１記載の発明）。
【０００６】
なお、上述した請求項１記載の発明は次のようなものであってもよい。
前記第２の判別手段は、電源オン／オフ操作、装置本体のスタイル変更操作のうち、少なくともそのいずれかの操作有無を検出する（請求項２記載の発明）。
【０００７】
前記所定機能が通話機能で、それに関連するデバイスがスピーカあるいはマイクの場合に、前記デバイスへの操作は、このスピーカあるいはマイクにタッチする接触操作、このスピーカあるいはマイクに近づける接近操作のうちそのいずれかの操作である（請求項５記載の発明）。
【０００８】
前記所定機能が音響入出力機能で、それに関連するデバイスが音声入出力デバイスの場合に、前記デバイスへの操作は、このデバイスにタッチする接触操作、このデバイスに近づける接近操作、このデバイスに外部機器を接続する接続操作のうちそのいずれかの操作である（請求項６記載の発明）。
【０００９】
前記所定機能が放送受信機能で、それに関連するデバイスがアンテナの場合に、前記デバイスへの操作は、このアンテナの引き出し操作あるいは引き入れ操作である（請求項７記載の発明）。
【００１０】
前記所定機能がカメラ機能で、それに関連するデバイスが撮影レンズ、フラッシュ発光部、マイクのうち少なくともそのいずれかの場合に、前記デバイスへの操作は、このデバイスにタッチする接触操作、このデバイスに近づける接近操作、このデバイスに外部機器を接続する接続操作、デバイス自体を可動させる可動操作のうち、そのいずれかの操作である（請求項８記載の発明）。
【００１１】
前記機能制御手段は、前記所定機能の起動、終了、一時停止、再開、モード設定のうちそのいずれかの制御を行う（請求項９記載の発明）。
【００１２】
予め制御対象として設定されている所定機能毎に、それに関連するデバイスを記憶するデバイス記憶手段を更に設け、前記第１の判別手段は、前記デバイス記憶手段を参照することによって前記制御対象機能に関連するデバイスに対する操作有無を判別する（請求項１０記載の発明）。
【００１３】
請求項３記載の発明（第２の発明）は、本体表面から露出している各種デバイスのうち所定機能に関連するデバイスへの操作有無を判別する第１の判別手段と、所定状態にあるか否かを判別する第２の判別手段と、前記第１の判別手段によって操作有りと判別され、かつ、前記第２の判別手段によって所定状態にあると判別された際に、前記所定機能を制御する機能制御手段とを具備したことを特徴とする。
更に、コンピュータに対して、上述した請求項３記載の発明に示した主要機能を実現させるためのプログラムを提供する（請求項１２記載の発明）。
【００１４】
なお、上述した請求項３記載の発明は次のようなものであってもよい。
前記第１の判別手段は、表示画面の状態を所定状態として判別する（請求項４記載の発明）。
その他、請求項３記載の発明は、上述した請求項５〜１０記載の発明を適用してもよい。
【発明の効果】
【００１５】
この発明は、所定機能に関連するデバイスに対して操作を行うことで当該機能を制御することができ、特別なキー操作を覚えおかなくても、その機能を連想するデバイスへの操作によって当該機能を容易に制御することが可能となる。
【発明を実施するための最良の形態】
【００１６】
（実施例１）
以下、図１〜図４を参照して本発明の第１実施例を説明する。
この実施例は、携帯端末装置として携帯電話装置に適用した場合を例示したもので、図１は、この携帯電話装置の基本的な構成要素を示したブロック図である。
この携帯電話装置は、通話機能、電子メール機能、インターネット接続機能（Ｗｅｂアクセス機能）などのほか、テレビ放送受信機能、カメラ機能、音楽再生機能、録音機能が備られている。ＣＰＵ１は、二次電池を備えた電源部２からの電力供給によって動作し、記憶部３内の各種のプログラムに応じてこの携帯電話装置の全体動作を制御する中核的な中央演算処理装置である。記憶部３は、内部メモリであり、プログラム領域とデータ領域とを有し、このプログラム領域には、後述する図３及び図４に示す動作手順に応じて本実施例を実現するためのプログラムが格納され、また、そのデータ領域には、後述する機能テーブルＦＴなどが設けられている。記録メディア４は、着脱自在な可搬型メモリで、例えば、ＳＤカード、ＩＣカードなどによって構成されている。
【００１７】
音声通話通信部５は、アンテナに接続された送受信部（ベースバンド部）の受信側から信号を取り込んで受信ベースバンド信号に復調したのちに、通話機能を構成する電話部６を介して受話スピーカ７から音声出力させる。また、音声通話通信部５は、送話マイク８からの入力音声を電話部６から取り込み、送信ベースバンド信号に符号化したのち、送受信部の送信側に与えてアンテナから発信出力させる。受話スピーカ７、送話マイク８は、装置本体の表面から露出し、通話機能に関連するデバイスである。この受話スピーカ７の近傍所定位置には、人体が接触したことを検出するタッチセンサＴＳ１が設けられており、ＣＰＵ１は、タッチセンサＴＳ１からの検出信号を取得して人体の接触有無を判別する。タッチセンサＴＳ１は、受話スピーカ７の近傍に装着されたもので、受話スピーカ７をユーザが指で覆い隠すようにその周辺部をタッチすると、接触有りの検出信号を出力する。なお、通話機能に関連するデバイスとしては、送話マイク８であってもよく、送話マイク８の近傍所定位置にタッチセンサＴＳ１を設けてもよい。
【００１８】
一方、電子メール機能、インターネット接続機能によって音声通話通信部５を介して受信取得した表示データは、高精細液晶などを使用した表示部９に与えられて表示出力される。操作部１０は、電源オン／オフキーＰＷなどの各種の操作キー、ポインティングデバイスなどを有し、ダイヤル入力、文字入力、コマンド入力などを行うもので、ＣＰＵ１は、操作部１０からの操作入力信号に応じた処理を実行する。
【００１９】
デジタルテレビ放送受信部１１は、テレビ放送受信機能を構成するもので、携帯受信機向けの地上波デジタルテレビ放送を受信するほか、電子番組表（ＥＰＧ）なども含めて受信可能となっている。そして、このデジタルテレビ放送受信部１１は、ＴＶアンテナ１２に接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、表示部９から表示出力され、また、テレビ音声データは、サウンドスピーカ（後述する）から出力される。
【００２０】
ＴＶアンテナ１２は、装置本体の表面から露出し、テレビ放送受信機能に関連するデバイスである。このＴＶアンテナ１２は、装置本体から引き出したり、引き入れたりすることができるもので、アンテナ操作検出部１３は、ＴＶアンテナ１２の引き出し操作あるいは引き入れ操作が行われた際に、その操作を検出するもので、ＣＰＵ１は、アンテナ操作検出部１３からの検出信号を取得してＴＶアンテナ１２の引き出し操作あるいは引き入れ操作の有無を判別する。
【００２１】
カメラ部１４は、カメラ機能を構成するもので、静止画撮影のほかに動画撮影も可能となっており、撮影レンズ１５、フラッシュ発光部１６のほか、撮像素子、その駆動系、測距センサ、光量センサ、アナログ処理回路、信号処理回路、圧縮伸張回路等を備え、光学ズームの調整制御、オートフォーカス時の駆動制御、シャッター駆動制御、露出、ホワイトバランスなどを制御する。撮影レンズ１５、フラッシュ発光部１６は、装置本体の表面から露出しており、カメラ機能に関連するデバイスである。
【００２２】
この撮影レンズ１５及びフラッシュ発光部１６の近傍所定位置には、当該デバイスに人体が接触したことを検出するタッチセンサＴＳ２、ＴＳ３が設けられており、ＣＰＵ１は、タッチセンサＴＳ２、ＴＳ３からの検出信号を取得して人体の接触有無を判別する。なお、タッチセンサＴＳ２、ＴＳ３は、撮影レンズ１５、フラッシュ発光部１６の近傍に装着されたもので、撮影レンズ１５、フラッシュ発光部１６をユーザが指で覆い隠すようにその周辺部をタッチすると、接触有りの検出信号を出力する。
【００２３】
音響入出力部１７は、音楽再生機能、録音機能を構成するもので、この音響入出力部１７には、イヤホンジャック１８、サウンドスピーカ１９、録音マイク２０が接続されている。イヤホンジャック１８は、装置本体の表面から露出しており、音楽再生機能に関連するデバイスである。イヤホン接続検出部２１は、イヤホン（外部スピーカ）がイヤホンジャック１８に接続されているかを検出するもので、ＣＰＵ１は、イヤホン接続検出部２１からの検出信号を取得してイヤホン接続有無を判別する。サウンドスピーカ１９、録音マイク２０は、装置本体の表面から露出しており、音楽再生機能あるいは録音機能に関連するデバイスである。
【００２４】
このサウンドスピーカ１９、録音マイク２０の近傍所定位置には、人体が接触したことを検出するタッチセンサＴＳ４、ＴＳ５が設けられており、ＣＰＵ１は、タッチセンサＴＳ４、ＴＳ５からの検出信号を取得して人体の接触有無を判別する。なお、タッチセンサＴＳ４、ＴＳ５は、サウンドスピーカ１９、録音マイク２０の近傍に装着されたもので、サウンドスピーカ１９、録音マイク２０をユーザが指で覆い隠すようにその周辺部をタッチすると、接触有りの検出信号を出力する。
【００２５】
図２は、機能テーブルＦＴを説明するための図である。
機能テーブルＦＴは、制御対象となる各種の機能と、この機能に関連するデバイスを指定する情報とを対応付けた構成で、その内容は予めユーザ操作によって任意に設定されたものである。すなわち、機能テーブルＦＴは、「制御対象」と「関連デバイス」とを対応付けたもので、図中“１”は、関連デバイスであることを示している。例えば、図示のように「制御対象」として“カメラ機能静止画撮影モード”が設定され、それに対応する「関連デバイス」として“撮影レンズ”が設定されている場合には、カメラ機能に関連する撮影レンズ１５への人体接触に応じてカメラ機能を静止画撮影モードで起動すべきことを示している。同様に、「制御対象」として“カメラ機能動画撮影モード”が設定され、それに対応する「関連デバイス」として“撮影レンズ”及び“録音マイク”が設定されている場合には、カメラ機能に関連する撮影レンズ１５及び録音マイク２０への人体接触操作に応じてカメラ機能を動画撮影モードで起動すべきことを示している。
【００２６】
また、「制御対象」として“カメラ機能フラッシュ発光禁止撮影モード”が設定され、それに対応する「関連デバイス」として“フラッシュ”が設定されている場合には、カメラ機能に関連するフラッシュ発光部１６への人体接触に応じてカメラ機能をフラッシュ発光禁止撮影モードで起動すべきことを示している。また、「制御対象」として“通話機能着信マナーモード”が設定され、それに対応する「関連デバイス」として“受話スピーカ”が設定されている場合には、通話機能に関連する受話スピーカ７への人体接触操作に応じて通話機能の動作モードとして着信音なしのマナーモードに切替え設定すべきことを示している。また、「制御対象」として“録音機能”が設定され、それに対応する「関連デバイス」として“録音マイク”が設定されている場合には、録音マイク２０への人体接触操作に応じて録音機能を起動すべきことを示している。
【００２７】
更に、「制御対象」として“音楽再生機能”が設定され、それに対応する「関連デバイス」として“サウンドスピーカ”が設定されている場合には、サウンドスピーカ１９への人体接触操作に応じて音楽再生機能を起動すべきことを示している。また、「制御対象」として“イヤホン出力で音楽再生機能”が設定され、それに対応する「関連デバイス」として“イヤホン”が設定されている場合には、イヤホンジャック１８へのイヤホン接続操作に応じてイヤホン出力で音楽再生機能を起動すべきことを示している。
【００２８】
また、「制御対象」として“テレビ放送受信機能”が設定され、それに対応する「関連デバイス」として“ＴＶアンテナ”が設定されている場合には、ＴＶアンテナ１２の引き出し操作に応じてテレビ放送受信機能を起動すべきことを示している。また、「制御対象」として“イヤホン出力でテレビ放送受信機能”が設定され、それに対応する「関連デバイス」として“イヤホン”及び“ＴＶアンテナ”が設定されている場合には、イヤホンジャック１８へのイヤホン接続操作及びＴＶアンテナ１２の引き出し操作に応じてイヤホン出力でテレビ放送受信機能を起動すべきことを示している。
【００２９】
次に、第１実施例における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３０】
図３は、携帯電話装置の全体動作のうち、第１実施例の特徴部分の動作概要を示したフローチャートである。
先ず、ＣＰＵ１は、電源オン／オフキーＰＷの操作有無をチェックし（ステップＡ１）、電源オンが指示されるまでステップＡ６に移って待ち受け画面状態となる。いま、電源オン／オフキーＰＷの操作によって電源オンが指示されると（ステップＡ１でＹＥＳ）、ＣＰＵ１は、所定機能に関連するデバイスへの操作有無を検出するデバイス状態検出処理の実行に移る（ステップＡ２）。
【００３１】
図４は、このデバイス状態検出処理（ステップＡ２）を詳述するためのフローチャートである。
先ず、ＣＰＵ１は、通話機能に関連するデバイス（受話スピーカ７）に対応付けられているタッチセンサＴＳ１からの検出信号に基づいて受話スピーカ７へのタッチ有無を判別し（ステップＢ１）、タッチ有りの場合には、その旨を示すために「受話スピーカフラグ」を“１”にセットする（ステップＢ２）。そして、ＣＰＵ１は、カメラ機能に関連するデバイス（撮影レンズ１５、フラッシュ発光部１６）への操作有無を調べる（ステップＢ３、Ｂ５）。
【００３２】
すなわち、ＣＰＵ１は、撮影レンズ１５に対応付けられているタッチセンサＴＳ２からの検出信号に基づいて撮影レンズ１５へのタッチ有無を判別し（ステップＢ３）、タッチ有りの場合には、その旨を示すために「撮影レンズフラグ」を“１”にセットする（ステップＢ４）。同様に、フラッシュ発光部１６に対応付けられているタッチセンサＴＳ３からの検出信号に基づいてフラッシュ発光部１６へのタッチ有無を判別し（ステップＢ５）、タッチ有りの場合には、その旨を示すために「フラッシュフラグ」を“１”にセットする（ステップＢ６）。
【００３３】
次に、音楽再生機能、録音機能に関連するデバイス（イヤホンジャック１８、サウンドスピーカ１９、録音マイク２０）への操作有無を調べる（ステップＢ７、Ｂ９、Ｂ１１）。すなわち、ＣＰＵ１は、イヤホン接続検出部２１からの検出信号に基づいてイヤホンジャック１８にイヤホンが接続されているかを判別し（ステップＢ７）、接続有りの場合には、その旨を示すために「イヤホンフラグ」を“１”にセットする（ステップＢ８）。また、サウンドスピーカ１９に対応付けられているタッチセンサＴＳ４からの検出信号に基づいてサウンドスピーカ１９へのタッチ有無を判別し（ステップＢ９）、タッチ有りの場合には、その旨を示すために「サウンドスピーカフラグ」を“１”にセットする（ステップＢ１０）。
【００３４】
同様に、ＣＰＵ１は、録音マイク２０に対応付けられているタッチセンサＴＳ５からの検出信号に基づいて録音マイク２０へのタッチ有無を判別し（ステップＢ１１）、タッチ有りの場合には、その旨を示すために「録音マイクフラグ」を“１”にセットする（ステップＢ１２）。次に、アンテナ操作検出部１３からの検出信号に基づいてテレビ放送機能に関連するデバイス（ＴＶアンテナ１２）の引き出し操作の有無を判別し（ステップＢ１３）、引き出し操作が行われた場合には、その旨を示すために「アンテナフラグ」を“１”にセットする（ステップＢ１４）。
【００３５】
このようなデバイス状態検出処理が終了すると、図３のステップＡ３に移り、その処理結果を参照し、“１”がセットされているフラグの有無を調べる。いま、電源オン操作時に、いずれのフラグも“０”のままであれば（ステップＡ３でＮＯ）、この時点で待ち受け画面状態に移るが（ステップＡ６）、いずれか一つでも“１”がセットされているフラグが有れば（ステップＡ３でＹＥＳ）、機能テーブルＦＴを参照してそのフラグに対応する「制御対象」を選択し（ステップＡ４）、この「制御対象」で示される機能を制御するための処理を行ったのち（ステップＡ５）、待ち受け画面状態となる（ステップＡ６）。
【００３６】
すなわち、ステップＡ５では、「受話スピーカフラグ」が“１”であれば、通話機能の着信マナーモードに設定する処理を行い、また、「撮影レンズフラグ」が“１”であれば、カメラ機能を静止画撮影モードで起動し、「撮影レンズフラグ」のほかに「録音マイクフラグ」も“１”であれば、カメラ機能を動画撮影モードで起動し、「フラッシュフラグ」が“１” であれば、カメラ機能をフラッシュ発光禁止撮影モードで起動する処理を行う。また、「録音マイクフラグ」のみが“１”であれば、録音機能を起動する。また、「サウンドスピーカフラグ」が“１”であれば、音楽再生機能を起動し、「イヤホンフラグ」のみが“１” であれば、イヤホン出力で音楽再生機能を起動する処理を行い、また、「アンテナフラグ」のみが“１” であれば、テレビ放送受信機能を起動し、「アンテナフラグ」のほかに「イヤホンフラグ」も“１” であれば、イヤホン出力でテレビ放送受信機能を起動する処理を行う。
【００３７】
以上のように、この第１実施例においてＣＰＵ１は、電源オン操作時に所定機能（例えば、通話機能、カメラ機能、録音機能、音楽再生機能、テレビ放送受信機能など）に関連するデバイス（例えば、受話スピーカ７、撮影レンズ１５、フラッシュ発光部１６、イヤホンジャック１８、録音マイク２０、ＴＶアンテナ１２など）への操作有無を判別し、当該デバイスへの操作が有れば、その所定機能を制御するようにしたので、特別なキー操作を覚えておかなくても、電源オン操作時にその機能を連想するデバイスへの操作で当該機能の制御が可能となる。
【００３８】
この場合、所定機能に関連するデバイス、例えば、受話スピーカ７、撮影レンズ１５、フラッシュ発光部１６、サウンドスピーカ１９、録音マイク２０の近傍には、対応するタッチセンサＴＳ１〜ＴＳ５が設けられ、また、イヤホンジャック１８、ＴＶアンテナ１２には、対応するイヤホン接続検出部２１、アンテナ操作検出部１３が設けられているので、デバイスへのタッチ操作、イヤホン接続操作、アンテナの引き出し操作を確実に検出することができる。
【００３９】
これによって電源オン操作時に受話スピーカ７への接触操作で通話機能の着信マナーモードに設定することができる。また、撮影レンズ１５への接触操作でカメラ機能を静止画撮影モードで起動することができ、撮影レンズ１５と録音マイク２０への接触操作でカメラ機能を動画撮影モードで起動することができ、フラッシュ発光部１６への接触操作でカメラ機能をフラッシュ発光禁止撮影モードで起動することができる。また、録音マイク２０への接触操作で録音機能を起動し、サウンドスピーカ１９への接触操作で音楽再生機能を起動することができ、イヤホンジャック１８への接続操作でイヤホン出力によって音楽再生機能を起動することができる。更に、ＴＶアンテナ１２の引き出し操作でテレビ放送受信機能を起動することができ、ＴＶアンテナ１２の引き出し操作とイヤホンジャック１８への接続操作でイヤホン出力によってテレビ放送受信機能を起動することができる。
【００４０】
機能テーブルＦＴは、制御対象となる複数の機能と、この機能に関連するデバイスとを対応付けた構成で、「制御対象」として、例えば、機能の起動、終了、モード設定などを設定することができ、機能毎に独自の制御が可能となるほか、これらの機能に対応して関連するデバイスの設定が可能となる。この場合、機能テーブルＦＴに対して任意の内容を設定することができる。
【００４１】
なお、上述した第１実施例においては、電源オン操作時に所定機能に関連するデバイスへの操作有無を判別するようにしたが、電源オフ操作時にその判別を行うようにしてもよい。また、所定機能に関連するデバイスへの操作が行われている状態において電源オン操作が行われたか、電源オフ操作が行われたかを判別するようにしてもよい。
（実施例２）
【００４２】
以下、この発明の第２実施例について図５〜図８を参照して説明する。
なお、上述した第１実施例においては、電源オン操作時に所定機能に関連するデバイスへの操作有無を判別するようにしたが、この第２実施例においては、装置本体の形態（スタイル）変化時に所定機能に関連するデバイスへの操作有無を判別するようにしたものである。
ここで、両実施例において基本的あるいは名称的に同一のものは、同一符号を付して示し、その説明を省略すると共に、以下、第２実施例の特徴部分を中心に説明するものとする。
【００４３】
図１の形態変化検出部２２は、例えば、磁気センサあるいはマイクロスイッチなどによって構成され、複数のスタイル（形態）に変更可能な装置本体の現在のスタイルを検出する。ここで、形態変化検出部２２は、図５に示すように、２つの筐体、つまり、操作部側筐体Ａと表示部側筐体Ｂとを折り畳み可能とした折り畳み型の装置本体であれば、図５（Ａ）に示すように操作部側筐体Ａに対して表示部側筐体Ｂを開いた開状態と、図５（Ｂ）に示すように閉じた閉状態との検出を行う。また、図６に示すように、操作部側筐体Ａと表示部側筐体Ｂとをスライド可能としたスライド型の装置本体であれば、図６（Ａ）に示すように操作部側筐体Ａに対して表示部側筐体Ｂをスライドさせた開状態と、図６（Ｂ）に示すように重ねあわせた閉状態との検出を行う。
【００４４】
更に、形態変化検出部２２は、図７に示すように、操作部側筐体Ａと表示部側筐体Ｂとを開閉ヒンジ（横軸）を介して開閉可能に連結すると共に回転ヒンジ（縦軸）を介して回転可能に連結することによって４種類のスタイルに変更可能な２軸ヒンジ型の装置本体であれば、図７（Ａ）に示すように操作部側筐体Ａに対して表示部側筐体Ｂを開いた通常状態と、図７（Ｂ）に示すように、上述の通常状態から表示部側筐体Ｂを１８０°回転させてその表示面１Ａを反転させた状態（回転状態）と、図７（Ｃ）に示すように、上述の回転状態で表示部側筐体Ｂを操作部側筐体Ａ上に重ね合わせたビュースタイル状態と、図７（Ｄ）に示すように、上述の通常状態から表示部側筐体Ｂを操作部側筐体Ａ上に重ね合わせた閉状態との検出を行う。
【００４５】
図８は、携帯電話装置の全体動作のうち、第２実施例の特徴部分の動作概要を示したフローチャートである。
先ず、ＣＰＵ１は、待ち受け画面を表示させている状態において（ステップＣ１）、形態変化検出部２２からの検出信号に基づいて装置本体のスタイルが変化したか否かを判別する（ステップＣ２）。すなわち、前回の検出タイミングでのスタイルと今回の検出タイミングでのスタイルとを比較し、その変化有無を判別する。例えば、折り畳み型あるいはスライド型の装置本体であれば、「閉状態」から「開状態」に変化したか、逆に「開状態」から「閉状態」に変化したかを調べ、また、２軸ヒンジ型の装置本体であれば、「閉状態」から「通常状態」に変化したか、逆に「通常状態」から「閉状態」に変化したかを調べ、更に、「回転状態」から「ビュースタイル状態」に変化したか、逆に「ビュースタイル状態」から「回転状態」に変化したかを調べる。
【００４６】
ここで、スタイルが変化していなければ（ステップＣ２でＮＯ）、上述のステップＣ１に戻るが、スタイルが変化した際には（ステップＣ２でＹＥＳ）、所定機能に関連するデバイスへの操作有無を検出するために、図４で示したデバイス状態検出処理を実行する（ステップＣ３）。そして、このデバイス状態検出処理が終了すると、その処理結果を参照し、“１”にセットされているフラグの有無を調べる（ステップＣ４）。いま、電源オン操作時に、いずれのフラグも“０”のままであれば（ステップＣ４でＮＯ）、この時点でステップＣ１に戻るが、いずれか一つでも“１”にセットされているフラグが有れば（ステップＣ４でＹＥＳ）、機能テーブルＦＴを参照してそのフラグに対応する「制御対象」を選択し（ステップＣ５）、この「制御対象」で示される機能を制御する処理を行ったのち（ステップＣ６）、待ち受け画面状態となる（ステップＣ１）。
【００４７】
以上のように、この第２実施例においてＣＰＵ１は、装置本体のスタイル変化の有無を判別し、スタイルが変化した際に、所定機能（例えば、通話機能、カメラ機能、録音機能、音楽再生機能、テレビ放送受信機能など）に関連するデバイス（例えば、受話スピーカ７、撮影レンズ１５、フラッシュ発光部１６、イヤホンジャック１８、録音マイク２０、ＴＶアンテナ１２など）への操作有無を判別し、当該デバイスへの操作が有れば、その所定機能を制御するようにしたので、特別なキー操作を覚えておかなくても、スタイル変更時にその機能を連想するデバイスへの操作で当該機能の制御が可能となる。その他、この第２実施例においても上述した第１実施例と同様の効果を有する。
【００４８】
なお、上述した第２実施例においては、スタイル変化時に所定機能に関連するデバイスへの操作有無を判別するようにしたが、所定機能に関連するデバイスへの操作が行われている状態においてスタイルが変化したかを判別するようにしてもよい。
（実施例３）
【００４９】
以下、この発明の第３実施例について図９を参照して説明する。
なお、上述した第１実施例においては、電源オン操作時に所定機能に関連するデバイスへの操作有無を判別するようにしたが、この第３実施例においては、画面表示のオン／オフ変化時に所定機能に関連するデバイスへの操作有無を判別するようにしたものである。
ここで、第１、第３の両実施例において基本的あるいは名称的に同一のものは、同一符号を付して示し、その説明を省略すると共に、以下、第３実施例の特徴部分を中心に説明するものとする。
【００５０】
図１の表示部９には、バックライト（図示せず）が備えられており、例えば、電源オン時、キー操作時、スタイル変化時に表示部９のバックライトを所定時間点灯させたのち、微点灯状態を経て消灯するようにしている。この画面表示のオン／オフ変化時、つまり、「オフ」から「オン」への変化時、逆に、「オン」から「オフ」への変化時に、ＣＰＵ１は、所定機能に関連するデバイスへの操作有無を判別し、当該デバイスへの操作が有れば、その機能を制御するようにしている。
【００５１】
図９は、携帯電話装置の全体動作のうち、第３実施例の特徴部分の動作概要を示したフローチャートである。
先ず、ＣＰＵ１は、待ち受け画面を表示させている状態において（ステップＤ１）、表示部９のオン／オフ変化の有無を調べる（ステップＤ２）、例えば、電源オン時、キー操作時、スタイル変化時に表示部のバックライトを所定時間点灯（オン）させたのち、微点灯状態を経て消灯（オフ）する場合に「オン」から「オフ」へ変化したか、逆に「オフ」から「オン」へ変化したかを調べる。
【００５２】
ここで、画面表示のオン／オフ変化がなければ、（ステップＤ２でＮＯ）、上述のステップＤ１に戻るが、画面表示のオン／オフが変化した際には（ステップＤ２でＹＥＳ）、所定機能に関連するデバイスへの操作有無を検出するために図４で示したデバイス状態検出処理を実行する（ステップＤ３）。そして、このデバイス状態検出処理が終了すると、その処理結果を参照し、“１”にセットされているフラグの有無を調べる（ステップＤ４）。いま、電源オン操作時に、いずれのフラグも“０”のままであれば（ステップＤ４でＮＯ）、この時点でステップＤ１に戻るが、いずれか一つでも“１”にセットされているフラグが有れば（ステップＤ４でＹＥＳ）、機能テーブルＦＴを参照してそのフラグに対応する「制御対象」を選択し（ステップＤ５）、この「制御対象」で示される機能を制御する処理を行ったのち（ステップＤ６）、待ち受け画面状態となる（ステップＤ１）。
【００５３】
以上のように、この第３実施例においてＣＰＵ１は、画面表示のオン／オフ変化の有無を判別し、表示が変化した際に、所定機能（例えば、通話機能、カメラ機能、録音機能、音楽再生機能、テレビ放送受信機能など）に関連するデバイス（例えば、受話スピーカ７、撮影レンズ１５、フラッシュ発光部１６、イヤホンジャック１８、録音マイク２０、ＴＶアンテナ１２など）への操作有無を判別し、当該デバイスへの操作が有れば、その所定機能を制御するようにしたので、特別なキー操作を覚えておかなくても、画面表示のオン／オフ変化時にその機能を連想するデバイスへの操作で当該機能の制御が可能となる。その他、この第３実施例においても上述した第１実施例と同様の効果を有する。
【００５４】
なお、上述した第３実施例においては、画面表示のオン／オフ変化時に所定機能に関連するデバイスへの操作有無を判別するようにしたが、所定機能に関連するデバイスへの操作が行われている状態において画面表示のオン／オフ変化を判別するようにしてもよい。
【００５５】
なお、上述した各実施例においては、所定機能に関連するデバイスの近傍に、タッチセンサＴＳ１〜ＴＳ５、イヤホン接続検出部２１、アンテナ操作検出部１３を設けるようにしたが、例えば、このデバイスを掌で塞ぐあるいはデバイスに指を近づけたことを光センサなどで検出するようにしてもよい。
【００５６】
また、上述した各実施例においては、機能テーブルＦＴの「制御対象」として、機能の起動、終了、モード設定を例示したが、機能の起動、終了、モード設定に限らず、例えば、一時停止、再開などの制御であってもよい。また、通話機能に関連するデバイスは、受話スピーカ７に限らず、送話マイク８であってもよい。つまり、機能に関連するデバイスは、上述した実施例に限らず、デバイスから機能あるいは機能からデバイスを連想可能であればよい。
【００５７】
上述した各実施例においては、制御対象の所定機能として通話機能、カメラ機能、録音機能、音楽再生機能、テレビ放送受信機能を例示したが、ラジオ放送受信機能を制御するようにしてもよい。また、制御対象としては、カメラ機能の撮影禁止モードを設定したり、拡大撮影モードを設定したりするようにしてもよい。
その他、携帯電話装置に限らず、例えば、ＰＤＡ、電子カメラ、電子腕時計、音楽再生機などの携帯端末装置であっても同様に適用可能である。
【図面の簡単な説明】
【００５８】
【図１】携帯端末装置として適用した携帯電話装置の基本的な構成要素を示したブロック図。
【図２】機能テーブルＦＴを説明するための図。
【図３】第１実施例の特徴部分の動作概要を示したフローチャート。
【図４】図３のデバイス状態検出処理（ステップＡ２）を詳述するフローチャート。
【図５】第２実施例において、折り畳み型装置本体のスタイルを示し、（Ａ）は、開状態、（Ｂ）は、閉状態を示した図。
【図６】第２実施例において、スライド型装置本体のスタイルを示し、（Ａ）は、開状態、（Ｂ）は、閉状態を示した図。
【図７】第２実施例において、２軸ヒンジ型装置本体のスタイルを示し、（Ａ）は通常状態、（Ｂ）は、回転状態、（Ｃ）は、ビュースタイル状態、図（Ｄ）は、閉状態を示した図である。
【図８】第２実施例の特徴部分の動作概要を示したフローチャート。
【図９】第３実施例の特徴部分の動作概要を示したフローチャート。
【符号の説明】
【００５９】
１  ＣＰＵ
３  記憶部
４  記録メディア
５  音声通話通信部
６  電話部
７  受話スピーカ
８  送話マイク
ＴＳ１〜ＴＳ５  タッチセンサ
９  表示部
１０  操作部
１１  デジタルテレビ放送受信部
１２  ＴＶアンテナ
１３  アンテナ操作検出部
１４  カメラ部
１５  撮影レンズ
１６  フラッシュ発光部
１７  音響入出力部
１８  イヤホンジャック
１９  サウンドスピーカ
２０  録音マイク
２１  イヤホン接続検出部
２２  形態変化検出部
Ａ  操作部側筐体
Ｂ  表示部側筐体
ＦＴ  機能テーブル
【図１】
2008271062.tif 000003
【図２】
2008271062.tif 000004
【図３】
2008271062.tif 000005
【図４】
2008271062.tif 000006
【図５】
2008271062.tif 000007
【図６】
2008271062.tif 000008
【図７】
2008271062.tif 000009
【図８】
2008271062.tif 000010
【図９】
2008271062.tif 000011